(57)【要約】  少なくとも１つの１次局（PS）（すなわちアクセスポイント又は基地局）と複数の２次局（SS1、SS2、SS3）（すなわち移動局）とを有するUMTS又はcdma2000のような無線ネットワークを動作する方法である。１次局は、２次局がその関心の指示を送信することができる複数のアクセスタイムスロットのそれぞれを割り当てることにより、マルチメディアブロードキャスト及びマルチキャストサービス（MBMS）のような特定のサービスの２次局のユーザによる関心のレベルを決定する。１次局は、関心の指示を受信し、送信された指示の数（例えば閾値を超過したか否か）から関心のレベルを推定する。推定処理の結果に応じて、１次局は、サービスを送信する少なくとも２つの送信モードのうち特定のものを選択する。MBMSサービスに関心を有するユーザの“近似計算”に従って、１次局は、サービスの実施の特定の送信モード（すなわち、ポイント・ツー・ポイント又はポイント・ツー・マルチポイント型）を選択する。
2007534236.tif 000002
【特許請求の範囲】
【請求項１】
１次局と複数の２次局とを有する無線ネットワークを動作する方法であって、
前記１次局は、２次局がその関心の指示を送信することができる複数のアクセススロットのうち少なくとも１つを割り当てることにより、２次局のユーザによるサービスの関心のレベルを決定する方法。
【請求項２】
請求項１に記載の方法であって、
前記１次局は、送信された指示の数から前記関心のレベルを推定し、前記関心のレベルが比較的高いか比較的低いかに応じて、前記サービスの送信モードを選択する方法。
【請求項３】
請求項２に記載の方法であって、
比較的高い関心のレベルについての前記送信モードは、ポイント・ツー・マルチポイントである方法。
【請求項４】
請求項２に記載の方法であって、
比較的低い関心のレベルについての前記送信モードは、ポイント・ツー・ポイントである方法。
【請求項５】
請求項２に記載の方法であって、
前記１次局は、前記サービスの前記送信モードを決定するために閾値レベルを設定し、指示の数が前記閾値レベルを超過したときに、前記比較的高い関心のレベルについての前記送信モードが動作する方法。
【請求項６】
請求項１ないし５のうちいずれか１項に記載の方法であって、
各アクセススロットは、１つのタイムスロットと１つの署名との組み合わせにより特徴付けられ、
前記１次局は、１つのサービスに関心を有する全ての２次局が複数のアクセススロットのうち１つを使用して送信するように、それぞれの複数のアクセススロットを異なるサービスにマッピングし、
１つのタイムスロットと１つの署名とのそれぞれの組み合わせは、前記複数のアクセススロットのうち多くて１つに含まれる方法。
【請求項７】
請求項６に記載の方法であって、
それぞれの複数のアクセススロットは、前記複数のうち各アクセススロットが同じ署名を使用し、前記複数のうち各アクセススロットが異なるタイムスロットを使用することを特徴とする方法。
【請求項８】
請求項６に記載の方法であって、
それぞれの複数のアクセススロットは、前記複数のうち各アクセススロットが同じタイムスロットを使用し、前記複数のうち各アクセススロットが異なる署名を使用することを特徴とする方法。
【請求項９】
請求項１ないし８のうちいずれか１項に記載の方法であって、
２次局は、複数のアクセススロットのうち予め選択されたもので所定の信号を送信することにより、その関心を指示する方法。
【請求項１０】
請求項１ないし８のうちいずれか１項に記載の方法であって、
２次局は、複数のアクセススロットのうちランダムに選択されたもので所定の信号を送信することにより、その関心を指示する方法。
【請求項１１】
請求項１ないし１０のうちいずれか１項に記載の方法であって、
前記関心の指示は、スペクトラム拡散信号として送信され、
指示の数は、所定のアクセスタイムスロットでの相関ピークの数を推定することにより推定される方法。
【請求項１２】
請求項１ないし１０のうちいずれか１項に記載の方法であって、
前記関心の指示は、スペクトラム拡散信号として送信され、
指示の数は、所定のアクセススロットでの受信エネルギーを推定することにより推定される方法。
【請求項１３】
請求項１に記載の方法であって、
前記２次局は、２つ以上の複数のアクセススロットのうちそれぞれ１つに割り当てられ、
関心の指示を送信しようとする２次局は、割り当てられた複数のアクセススロットで送信する方法。
【請求項１４】
請求項１３に記載の方法であって、
関心の推定レベルが所定のレベルを超過すると、前記１次局は、割り当てられたアクセススロットで送信しようとする２次局に対して送信しないように指示する方法。
【請求項１５】
請求項１ないし１４のうちいずれか１項に記載の方法であって、
サービスの関心を指示する２次局はまた、前記サービスを受信する品質レベルを指示する方法。
【請求項１６】
請求項１５に記載の方法であって、
前記１次局は、低品質レベルのサービスの送信と異なるモードで、高品質レベルのサービスを送信する方法。
【請求項１７】
請求項１ないし１６のうちいずれか１項に記載の方法であって、
前記１次局は、ポイント・ツー・マルチポイント送信として基本データストリームを送信し、ポイント・ツー・ポイント送信として基本データストリームの品質を拡張する補助データストリームを送信する方法。
【請求項１８】
１次局と複数の２次局とを有する無線ネットワークであって、
前記１次局は、２次局のユーザによるサービスの関心のレベルを決定する手段を有し、
前記手段は、２次局がその関心の指示を送信することができる複数のアクセススロットを割り当てるように適合される無線ネットワーク。
【請求項１９】
請求項１８に記載の無線ネットワークであって、
送信された指示の数から前記関心のレベルを推する推定手段と、
前記関心のレベルが比較的高いか比較的低いかに応じて、前記サービスの送信モードを選択するモード選択手段と
を更に有する無線ネットワーク。
【請求項２０】
請求項１８又は１９に記載の無線ネットワークであって、
各アクセススロットは、１つのタイムスロットと１つの署名との組み合わせにより特徴付けられ、
前記１次局は、１つのサービスに関心を有する全ての２次局が複数のアクセススロットのうち１つを使用して送信するように、それぞれの複数のアクセススロットを異なるサービスにマッピングする手段を有し、
１つのタイムスロットと１つの署名とのそれぞれの組み合わせは、前記複数のアクセススロットのうち多くて１つに含まれる無線ネットワーク。
【請求項２１】
請求項１８に記載の無線ネットワークであって、
スペクトラム拡散送受信手段を有し、
前記推定手段は、それぞれのアクセススロットでの相関ピークの数を推定することにより、前記関心のレベルを推定するように適合される無線ネットワーク。
【請求項２２】
請求項１８に記載の無線ネットワークであって、
スペクトラム拡散送受信手段を有し、
前記推定手段は、それぞれのアクセススロットでの受信エネルギーを推定することにより、前記関心のレベルを推定するように適合される無線ネットワーク。
【請求項２３】
少なくとも１つの１次局と複数の２次局とを有する無線ネットワークで使用される１次局であって、
前記１次局は、２次局のユーザによるサービスの関心のレベルを決定する手段を有し、
前記手段は、２次局がその関心の指示を送信することができる複数のアクセススロットを割り当てるように適合される１次局。
【請求項２４】
１次局と複数の２次局とを有する無線ネットワークで使用される２次局であって、
前記１次局は、２次局のユーザによるサービスの関心のレベルを決定する手段を有し、
前記手段は、２次局がその関心の指示を送信することができる複数のアクセススロットを割り当てるように適合され、
前記２次局は、前記複数のアクセススロットのうち選択されたもので所定の信号を送信することにより、そのサービスの関心を指示する手段を有する２次局。
【発明の詳細な説明】
【技術分野】
【０００１】
本発明は、無線ネットワーク、無線ネットワークを動作する方法、及び無線ネットワークで使用される無線局に関する。本発明は、第３世代移動無線システムのような移動無線ネットワークでマルチメディアブロードキャスト及びマルチキャストサービスの提供に対して、排他的ではないが特に用途を有する。この移動無線ネットワークのうち、UMTS（Universal  Mobile  Telephone  System）及びcdma2000（code  division  multiple  access  2000）が２つの例である。
【背景技術】
【０００２】
同時に複数の移動端末へのマルチメディアサービスの効率的な配信を可能にするために、第３世代移動電話システムについてマルチメディアブロードキャスト及びマルチキャストサービス（MBMS：Multimedia  Broadcast  and  Multicast  Services）を定めることに目下の関心が存在する。
【０００３】
移動無線ネットワークオペレータが特定のサービスを受信することに関心を有するユーザの数又は受信することに関心を有しそうなユーザの数を確かめることに関心を有するという状況が存在する。このような情報は、基地局又は１次局と加入者局又は２次局との間での無線インタフェースを通じたサービス配信の最善の機構を決定するために使用され得る。例えば、数ユーザのみが所定のサービスに関心を有する場合、サービスを各ユーザに配信するために個別の専用チャネルを設定することが効率的なことがある。専用チャネル（すなわちポイント・ツー・ポイント・チャネル）は、これらのユーザの優勢の無線チャネル状況に従って個別に出力制御され得る。逆に、サービスが多数のユーザに配信される場合には、共通チャネル（すなわちポイント・ツー・マルチポイント・チャネル）が、通常ではより効率的である。セルの如何なる場所にいるユーザが十分にサービスを受信することができるように、通常では高送信出力が使用される。
【０００４】
UMTSでは、関心を有する２次局を計算する現在提案されている方法は、関心を有する２次局がPMM-接続状態（PMM：Packet  Mobility  Mode）に遷移することを要求することに基づく。この状態遷移を実行する２次局の数は、１次局又はネットワークコントローラにより計算される。PMM-接続状態への遷移の要求は明示的でもよく、又は代替として２次局は自発的にこの状態に定期的に入ってもよい。
【０００５】
しかし、この方法は、２次局とネットワークコントローラとの間で送信されるかなりの量のシグナリングと、ネットワーク内自体でのかなりのシグナリングトラヒック（例えばHLR（Home  Location  Register）からの加入者プロフィールの送信）とを必要とする。
【０００６】
多数のユーザがサービスを受信することに関心を有する場合、各ユーザについての個別の情報は概して必要ないため、シグナリング情報のほとんどは冗長である。更に、無線インタフェースでのこのような高いシグナリング負荷は、無線リソースの浪費であり、他のユーザに不要な干渉を生成する。
【発明の開示】
【発明が解決しようとする課題】
【０００７】
本発明の目的は、サービスを受信することに関心を有するユーザの数を効率的に推定可能にすることである。
【課題を解決するための手段】
【０００８】
本発明の第１の態様によれば、１次局と複数の２次局とを有する無線ネットワークを動作する方法が提供され、１次局は、２次局がその関心の指示を送信することができる複数のアクセスタイムスロットを割り当てることにより、２次局のユーザによるサービスの関心のレベルを決定する。
【０００９】
本発明の第２の態様によれば、１次局と複数の２次局とを有する無線ネットワークが提供され、１次局は、２次局のユーザによるサービスの関心のレベルを決定する手段を有し、この手段は、２次局がその関心の指示を送信することができる複数のアクセススロットを割り当てるように適合される。
【００１０】
本発明の第３の態様によれば、少なくとも１つの１次局と複数の２次局とを有する無線ネットワークで使用される１次局が提供され、１次局は、２次局のユーザによるサービスの関心のレベルを決定する手段を有し、この手段は、２次局がその関心の指示を送信することができる複数のアクセススロットを割り当てるように適合される。
【００１１】
本発明の第４の態様によれば、１次局と複数の２次局とを有する無線ネットワークで使用される２次局が提供され、１次局は、２次局のユーザによるサービスの関心のレベルを決定する手段を有し、この手段は、２次局がその関心の指示を送信することができる複数のアクセススロットを割り当てるように適合され、２次局は、複数のアクセススロットのうち選択されたもので所定の信号を送信することにより、そのサービスの関心を指示する手段を有する。
【００１２】
この明細書では、“アクセススロット”は、署名とタイムスロットとの特定の結合を意味する。
【００１３】
本発明は、計算される２次局の数が大きいときに、２次局の数の正確な計算を頻繁に得る必要がないが、端末の数が任意の閾値（例えばポイント・ツー・マルチポイント・サービス配信を使用する閾値）よりかなり大きいことを確かめる必要があるという認識に基づく。
【発明を実施するための最良の形態】
【００１４】
本発明について、添付図面を参照して一例として説明する。
【００１５】
図面では、対応する特徴を示すために、同じ参照符号が使用されている。
【００１６】
図１に示す無線ネットワークは、信号伝搬手段12に結合された無線周波数入力／出力を有するスペクトラム拡散トランシーバ10を有する少なくとも１つの１次局PSを有する。コントローラ14は、１次局が以下に説明するように動作するように制御するため、トランシーバ10に結合されている。コントローラは、適切にプログラムされたデジタルコンピュータであるが、本発明の理解の便宜上で、コントローラ14は、推定手段17と、選択手段18と、アクセススロット記憶装置19と、署名記憶装置20とを有するものとして図示されている。マルチメディア及びマルチキャストサービスのサービス供給者16は、例えば地上通信線によりコントローラ14に結合されている。
【００１７】
ネットワークは複数の２次局を更に有し、このうち３つの局SS1、SS2及びSS3が図示されている。２次局は、１次局のトランシーバ10の無線サービスエリアで移動することができる。２次局SS1、SS2及びSS3は実質的に同じアーキテクチャを有しており、説明の便宜上で、２次局SS1について説明し、２次端末SS2及びSS3の対応する特徴は、それぞれプライム符号の参照符号及び２重プライム符号の参照符号により特定される。
【００１８】
２次局SS1は、アンテナ24に結合されたRF入力／出力を有するスペクトラム拡散トランシーバ22を有する。プログラムされたマイクロプロセッサ26はトランシーバ22に結合されている。記憶装置28はマイクロプロセッサ26に結合されている。１次局PSと２次局SS1、SS2及びSS3との間の通信は、２重式のダウンリンク30／アップリンク32によるものである。マイクロプロセッサ26は、２次局SS1が以下に説明するように動作するように制御する。
【００１９】
ネットワークエリアでの通信の開始は、アクセススロットを有するTDMAプロトコルを使用したスペクトラム拡散によるものである。１次局と通信を開始するときに、このアクセススロットのうち１つが、２次局によりランダムに選択される。１次局PSは、既知数の署名と既知数のタイムスロットとを利用可能にし、通信を開始するときに、２次局はこれらの署名のうち１つとタイムスロットのうち１つとを選択する。ランダムに選択されたタイムスロットと複数の署名のうち選択されたものとの組み合わせは、１次局と通信するときに２次局の間の衝突のリスクを低減する。ネットワークエリアが大きい場合、インフラストラクチャのアーキテクチャは、隣接エリアと連続的な又は部分的に重複した自分のサービスエリアをそれぞれ有する地理的に分散した１次局に結合されたネットワークコントローラを有する。各エリアの１次局は、隣接サービスエリアに割り当てられたものと異なる自分の署名のセットを有する。
【００２０】
サービスを受信することに関心を有する２次局の数を推定可能にするために、１次局PSは、サービスのリストを有するプログラムガイドを定期的に送信し、異なるサービスにそれぞれの複数のアクセススロットをマッピングする。混乱を避けるため、１つのタイムスロットと１つの署名とのそれぞれの組み合わせは、複数のアクセススロットのうち多くて１つに含まれる。しかし、それぞれ複数のうち各アクセススロットが同じ署名を使用し、複数のうち各アクセススロットが異なるタイムスロットを使用することも可能である。逆に、それぞれ複数のうち各アクセススロットが同じタイムスロットを使用し、複数のうち各アクセススロットが異なる署名を使用することも可能である。
【００２１】
特定のサービスを受信することに興味がある２次局は、指示（例えば署名又は署名及び他の指標）を送信することができる。しかし、情報は、例えばポイント・ツー・ポイント（少数の２次局がサービスを受信することに興味がある場合）とポイント・ツー・マルチポイント（多数の２次局がサービスを受信することに興味がある場合）との間の最も効率的な送信モードを決定するために使用されるため、精度に対する必要性は、多数ではなく少数を決定することに偏っている。
【００２２】
UMTSを使用して本発明による方法の実施例を実装する際に、複数のアップリンクRACH（Random  Access  Channel）のアクセススロットが、特にユーザを計算する目的に関する送信に割り当てられる。スロットは永続的又は一時的に割り当てられてもよく、例えば一般的にMBMSシグナリングに特に割り当てられる一式のアクセススロットから時分割的に選択されてもよい。
【００２３】
計算するために割り当てられるこのようなアクセススロットの数は、配信のための専用チャネルと共通チャネルとの間を決定するためにネットワークにより使用される閾値の関数として選択されてもよい。例えば、閾値Nが設定されると、典型的にはこのようなアクセススロットの数は、Nと2Nとの間である。
【００２４】
計算されようとする各２次局は、割り当てられたアクセススロットのうち１つを選択するためにランダム関数で動作し、選択されたスロットで所定の信号を送信する。このように、計算される端末の数が小さい場合、複数の２次局が同じアクセススロットを選択する確率は低くなり、ネットワークは関心を有する２次局の数の合理的に正確な数を得る。次に、ネットワークは、例えば必要なシグナリング情報の更なる要求を送信し、ポイント・ツー・ポイント・リンクがこれらの２次局に設定されることを可能にしてもよい。
【００２５】
２次局の数が増加すると、衝突の確率は増加する。ネットワークが割り当てられたアクセススロットの特定の割合より多くで所定の信号を受信した場合、多数の２次局が関心を有し、ポイント・ツー・マルチポイント・リンクを確立することを仮定してもよい。
【００２６】
一般的には、１次局（又はネットワークコントローラ）は、同じアクセススロットで所定の信号を送信する端末の数を計算することができない。しかし、ある状況では、ネットワークが、所定のアクセススロットでの相関ピークの数（ピークの到達は各信号の異なる伝搬時間のため変化する）又はアクセススロットの受信エネルギーのレベル（１次局からの距離に対する出力のアルゴリズムが各２次局による送信出力を制御するために使用されることを仮定する）からこの数を推定することができる。この情報は、推定数を洗練するために使用されてもよい。
【００２７】
従来の状態遷移方法と同様に、計算処理の開始は、そのたび毎に１次局（又はネットワークコントローラ）により明示的に要求されてもよく、１次局（又はネットワークコントローラ）により設定された期間に従って定期的に行われてもよく、各２次局の側で自律的に行われてもよい。これらの開始方法のいくつかの組み合わせも使用可能である。
【００２８】
典型的には、割り当てられたアクセススロットは、所定のMBMSサービス又はサービスのグループに特有である。異なるMBMSサービスに関心を有する２次局を計算するために、異なるセットのアクセススロット（例えば異なるサブチャネル又は異なる時間）が使用されてもよい。２次局は、利用可能になったアクセススロットと特定のサービスとの間を単にマッピングする。
【００２９】
所定の信号は単に単一の署名又は他のコードワードでもよく、多数の２次局が同時に送信してもよく、このため、処理を迅速に完了するため、本発明による方法は、関心のある２次局を計算する効率的な方法を提供する。更に、本発明による方法は、既知の状態遷移計算方法から生じる多数のRACHアクセス試行が他のアップリンクトラヒックとの衝突を引き起こし、このため、他のアップリンクサービスを中断させる確率を低減する。
【００３０】
図２は、本発明による方法の実装を示したフローチャートである。フローチャートは開始ブロック40で始まる。次のブロック42は、１次局PSがサービスの提供を送信することを示す。ブロック44は、提供されるサービスを受信することに関心を有する２次局の数を推定する目的で、１次局（又はネットワークコントローラ）が複数のNのアクセススロット（すなわち、例えば(a)複数のタイムスロット及び複数の署名、(b)複数のタイムスロットでの単一の署名又は(c)１つのタイムスロットでの複数の署名）を割り当てることに関する。複数のNのアクセススロットは、提供されるサービスの形式について設定された閾値に関連する。
【００３１】
ブロック46は、提供されているサービスを受信することに関心を有する２次局が、提供されたアクセススロットで応答を送信することに関する。応答は、複数のアクセススロットのうち予め選択されたもの又はランダムに選択されたもので送信される所定の信号を有してもよい。ブロック48は、１次局（又はネットワークコントローラ）が、受信した応答の数（例えば、所定の複数のうち異なるタイムスロットでの同じ署名の発生の数、同じタイムスロットでのランダムに選択された署名の数、又は所定の複数のうち異なるランダムに選択されたタイムスロットでのランダムに選択された署名の数）を推定することに関する。ブロック50は、１次局（又はネットワークコントローラ）が、推定数が設定された閾値を超過するか否かを決定することに関する。この回答が否定的Nである場合、ブロック52で示すように、サービスはポイント・ツー・ポイントに基づいて送信される。しかし、この回答が肯定的Yである場合、ブロック54で示すように、サービスはポイント・ツー・マルチポイントに基づいて送信される。
【００３２】
記載の方法に対する変更も可能である。計算方法の効率は、２次局の母集団を２つ以上の下位集団に分割することにより増加し得る。前者の場合、２次局の第１の集団は、所定の計算信号を送信するために第１のセットのアクセススロットに割り当てられてもよく、２次局の第２の集団は、第２の後のセットのアクセススロットに割り当てられてもよい。１次局（又はネットワークコントローラ）が第１のセットのアクセススロットのほとんど又は全てで信号を受信し、これによって閾値を超過した場合、１次局は、第２の集団の２次局が後のセットのアクセスポイントでその計算信号を送信することを禁止する信号を送信してもよい。従って、閾値を超過する多数の関心を有する２次局が存在する場合に、全体のアップリンクの干渉がかなり低減される。
【００３３】
他の変更は、明示的に要求される計算が従来の状態遷移方法を使用して実行され、本発明による方法は定期的な自律更新に使用されることを有する。また、この逆も同様である。
【００３４】
更なる変更では、更なる情報が計算信号に含まれてもよい。例えば、割り当てられたアクセススロットで使用される１つより多くの署名又は他のコードワードを指定することにより、又は複数のセットのアクセススロットを割り当てることにより、２次局は、特定のサービスを受信する機能についての何らかの指標を伝えてもよい。この場合、適切な指標は、(i)SIR（Signal  to  Interference  Ratio）型メトリック（端末がサービスを十分に受信するために必要なダウンリンク出力レベルの指示をネットワークに与える）及び／又は(ii)機能の指示（例えば、２次局がポイント・ツー・ポイント・モード若しくはポイント・ツー・マルチポイント・モード又はこの双方で現在サービスを受信する機能を有するか否か）を有してもよい。
【００３５】
更に又は代替として、割り当てられたアクセススロットで使用される１つより多くの署名又は他のコードワードを指定することにより、又は複数のセットのアクセススロットを割り当てることにより、２次局は、当該のサービスの特定のパラメータの選択を伝えてもよい。例えば、あるサービスは、異なる程度の品質（高解像度ビデオ又は低解像度ビデオ）で提供されてもよい。あるネットワークでは、基本データストリームが低品質データを提供し、補助ストリーム（基本ストリームと共にデコードされ得る）が受信したいと思うユーザに高品質サービスを提供するように、別々のデータストリームが送信されてもよい。
【００３６】
２次局は、当該のサービスを受信しようとする品質レベルを指示するために、ランダムに選択されたタイムスロットで特定のコードワードを使用してもよい（又は異なって割り当てられたセットのタイムスロットからタイムスロットをランダムに選択してもよい）。このことにより、ネットワークが補助データストリームにポイント・ツー・ポイント・チャネルを使用するが、基本データストリームにポイント・ツー・マルチポイント・チャネルを使用することが可能になる。同様に、この品質情報は、少数の２次局（又は０の２次局）のみが高品質サービスを受信することに興味を有する場合、補助情報を送信しないことを決定するために、ネットワークにより使用されてもよい。
【００３７】
任意選択で、２次局による関心の指示の送信は、１より小さい確率で生じてもよい。確率の値は、予め決められてもよく、１次局により伝えられてもよい。１次局は、関心のレベルの推定に到達するために、確率の値で指示の計算数を割る。この選択肢は、低レベルの干渉を生じ、関心のレベルのより正確な推定を生じ得る。
【００３８】
この明細書及び特許請求の範囲において、単数の要素は、このような要素の複数の存在を除外しない。更に、“有する”という用語は、記載されたもの以外の要素又はステップの存在を除外しない。
【００３９】
本発明を読むことにより、当業者に他の変更が明らかになる。このような変更は、ここで説明した特徴の代わりに又はこれに加えて使用され得るスペクトラム拡散無線ネットワーク及びこの構成部分の設計、製造及び使用について既に知られている他の特徴を有してもよい。
【図面の簡単な説明】
【００４０】
【図１】無線ネットワークの概略図
【図２】本発明による方法の実施例に関するフローチャート
【図１】
2007534236.tif 000003
【図２】
2007534236.tif 000004
【国際調査報告】
2007534236.tif 000005
2007534236.tif 000006
2007534236.tif 000007
2007534236.tif 000008
2007534236.tif 000009